(57)【要約】【課題】  視認性を確保しつつデザイン性及び質感を高める。【解決手段】  不透明又は金属調の不透明部材より形成される第１指針部材７０が着色又は無色の透明部材より形成される第２指針部材８０の内側に嵌合され、立体感やコントラストが得られる構成としたので、新規な表現が可能となる。また、立体感やコントラストが得られるため、昼間でも視認性が良好となり、しかも第２指針部材８０の内部に入射した光により第１指針部材７０の周囲を発光させるようにしたので、夜間でも視認性が良好となる。【選択図】  図１
2005300235.tif 000002
【特許請求の範囲】
【請求項１】
不透明又は金属調の不透明部材より形成される第１指針部材と、着色又は無色の透明部材より形成される第２指針部材とを有し、前記第１指針部材が前記第２指針部材の内側に嵌合され、前記第２指針部材内部に入射した光によって前記第１指針部材の周囲を発光させるようにしたことを特徴とする計器用指針。
【請求項２】
前記第１指針部材は、
第１基部と、
この第１基部から一方向に延びた指針部材本体と、
前記第１基部の下面側に突設された所定形状の係止突起と、
この係止突起から下方に延び、内機の回転軸に連結される軸受け部とを有し、
前記第２指針部材は、
前記第１基部を填め込むための基部填込部が設けられた第２基部と、
この第２基部から一方向に延び、前記第１指針部材の指針部材本体を填め込むための窪みが設けられた指示部とを有し、
前記基部填込部の底部には、前記第１指針部材の係止突起を挿通させて係止するための係止孔が設けられている
ことを特徴とする請求項１に記載の計器用指針。
【請求項３】
前記第１指針部材は、
第１基部と、
この第１基部から一方向に延びた指針部材本体と、
前記第１基部の下面側に突設された所定形状の係止突起と、
この係止突起から下方に延び、内機の回転軸に連結される軸受け部とを有し、
前記第２指針部材は、
前記第１基部を填め込むための基部填込部が設けられた第２基部と、
この第２基部から一方向に延び、前記第１指針部材の指針部材本体の外周を保持する凸部が設けられた指示部とを有し、
前記基部填込部の底部には、前記第１指針部材の係止突起を挿通させて係止するための係止孔が設けられている
ことを特徴とする請求項１に記載の計器用指針。
【請求項４】
前記基部填込部の内側には、前記基部填込部の底部に向けて内側に傾斜し、前記第２基部内部に入射される光の反射面となる傾斜面が設けられていることを特徴とする請求項２又は３に記載の計器用指針。
【請求項５】
前記第１指針部材は、その表面が前記第２指針部材側の表面より突出するように前記第２指針部材側に嵌合されていることを特徴とする請求項１〜４のいずれかに記載の計器用指針。
【請求項６】
前記係止孔は、セレーション形状とされていることを特徴とする請求項２〜５のいずれかに記載の計器用指針。
【請求項７】
前記第２基部の光が入射される面を除いた前記第２指針部材の下面全体に反射膜が形成されていることを特徴とする請求項２〜６のいずれかに記載の計器用指針。
【発明の詳細な説明】
【技術分野】
【０００１】
本発明は、自動車等の車両の計器の文字板部分に配設され、文字板の目盛等を指示する自発光式の計器用指針に関するものである。
【背景技術】
【０００２】
自動車等の車両においては、車両速度やエンジン回転数等の計測値を表示するアナログ式計器の指針として、特許文献１に示されているような光源からの光を内部に導いて指針自体を光らせる発光タイプのものが知られている。
【０００３】
これは、図８及び図９に示すように、透光性の透明樹脂により形成された指針１０の指示部１１の基部１２を、天板２１により一端が閉塞された環状の周壁部２２を有する遮光性の着色樹脂からなるキャップ２０によって覆い、指示部１１の先端をキャップ２０の周壁部２２の径方向外方に延出させるようにしたものである。なお、図中符号１３は図示しない内機の回転軸が圧入される圧入孔１４を有した軸受け部を示し、図中符号３０は指示部１１のバランスをとるバランサである。
【０００４】
このような指針１０では、夜間照明時に図示しない光源が点灯され、キャップ２０によって覆われた基部１２の下方から基部１２内部に光が入射されると、入射された光が基部１２の傾斜面１５によって反射し、指示部１１の先端側に導かれる。これにより、透明樹脂により形成された指示部１１が発光するため、夜間でも指示部１１の視認性が良好となる。
【０００５】
また、このような指針１０では、透光性の透明樹脂により形成された指示部１１に遮光性の着色樹脂からなるキャップ２０を装着した構成であるため、比較的安価に制作することが可能である。ところが、このように単に指示部１１自体を発光させるタイプのものは、デザイン性が乏しいため、質感を高める際に不利である。
【０００６】
一方、デザイン性を高めるようにしたものとして、たとえば特許文献２に示すような金属調発光指針が知られている。これは、図１０及び図１１に示すように、キャップ４０が装着された指針５０の指示部５１が赤色等の着色透明樹脂によって形成され、その指示部５１の表面に線状の金属調ホットスタンプ層５２が形成され、さらにその指示部５１の裏面全体に赤色等の蛍光色のホットスタンプ層５３が形成されたものである。
【０００７】
このような構成では、夜間照明時に指示部５１内部に入射する光により、金属調ホットスタンプ層５２の間から指示部５１そのものの色及び裏面のホットスタンプ層５３が見えるような表現となるため、デザイン性がよく、質感も高めることができる。
【特許文献１】特開平１０−３０９４２号公報
【特許文献２】特開２００２−９８５６０号公報
【発明の開示】
【発明が解決しようとする課題】
【０００８】
ところで、上述した特許文献２に示されたものは、指示部５１の表面に線状の金属調ホットスタンプ層５２が形成されているため、昼間の走行時には金属調ホットスタンプ層５２からの日光の反射光により、比較的視認性が良好となる。ところが、夜間照明時には、金属調ホットスタンプ層５２の間から指示部５１そのものの色及び裏面のホットスタンプ層５３が見えるような表現となるため、指示部５１からの発光領域が狭くなり、視認性に欠けてしまうおそれがある。
【０００９】
解決しようとする問題点は、指示部５１の表面に線状の金属調ホットスタンプ層５２を形成し、さらにその指示部５１の裏面全体に赤色等の蛍光色のホットスタンプ層５３を形成することで、デザイン性及び質感を高めようとしても、夜間照明時に、金属調ホットスタンプ層５２の間から指示部５１そのものの色及び裏面のホットスタンプ層５３が見えるような表現となるため、指示部５１からの発光領域が狭くなり、視認性に欠けてしまうおそれがあるという点である。
【課題を解決するための手段】
【００１０】
本発明の計器用指針は、不透明又は金属調の不透明部材より形成される第１指針部材と、着色又は無色の透明部材より形成される第２指針部材とを有し、前記第１指針部材が前記第２指針部材の内側に嵌合され、前記第２指針部材内部に入射した光によって前記第１指針部材の周囲を発光させるようにしたことを特徴とする。
また、前記第１指針部材は、第１基部と、この第１基部から一方向に延びた指針部材本体と、前記第１基部の下面側に突設された所定形状の係止突起と、この係止突起から下方に延び、内機の回転軸に連結される軸受け部とを有し、前記第２指針部材は、前記第１基部を填め込むための基部填込部が設けられた第２基部と、この第２基部から一方向に延び、前記第１指針部材の指針部材本体を填め込むための窪みが設けられた指示部とを有し、前記基部填込部の底部には、前記第１指針部材の係止突起を挿通させて係止するための係止孔が設けられているようにすることができる。
また、前記第１指針部材は、第１基部と、この第１基部から一方向に延びた指針部材本体と、前記第１基部の下面側に突設された所定形状の係止突起と、この係止突起から下方に延び、内機の回転軸に連結される軸受け部とを有し、前記第２指針部材は、前記第１基部を填め込むための基部填込部が設けられた第２基部と、この第２基部から一方向に延び、前記第１指針部材の指針部材本体の外周を保持する凸部が設けられた指示部とを有し、前記基部填込部の底部には、前記第１指針部材の係止突起を挿通させて係止するための係止孔が設けられているようにすることができる。
また、前記基部填込部の内側には、前記基部填込部の底部に向けて内側に傾斜し、前記第２基部内部に入射される光の反射面となる傾斜面が設けられているようにすることができる。
また、前記第１指針部材は、その表面が前記第２指針部材側の表面より突出するように前記第２指針部材側に嵌合されているようにすることができる。
また、前記係止孔は、セレーション形状とされているようにすることができる。
また、前記第２基部の光が入射される面を除いた前記第２指針部材の下面全体に反射膜が形成されているようにすることができる。
本発明に係る計器用指針は、不透明又は金属調の不透明部材より形成される第１指針部材を、着色又は無色の透明部材より形成される第２指針部材の内側に嵌合するようにしたので、夜間照明時に、第２指針部材内部に入射した光により第１指針部材の周囲が発光する。また、不透明な第１指針部材と透明な第２指針部材との組み合わせにより、立体感やコントラストが得られるため、新規な表現が可能となる。
【発明の効果】
【００１１】
本発明の計器用指針は、不透明な第１指針部材と透明な第２指針部材との組み合わせにより、立体感やコントラストが得られるため、新規な表現が可能となるばかりか、昼間でも視認性を良好とすることができ、しかも第２指針部材内部に入射した光により第１指針部材の周囲を発光させるようにし、夜間でも視認性を良好とすることができるため、視認性を確保しつつデザイン性及び質感を高めることができる。
【発明を実施するための最良の形態】
【００１２】
本発明の計器用指針は、指針部材の内側を不透明部材で形成し、指針部材の外周部を透明部材で形成することにより、指針部材内部に入射した光によって指針部材の外周部を発光させるようにした。具体的には、指針部材を、不透明又は金属調の不透明部材より形成される第１指針部材と、着色又は無色の透明部材より形成される第２指針部材とし、第１指針部材が第２指針部材の内側に嵌合され、第２指針部材内部に入射した光によって第１指針部材の周囲を発光させるようにした。
【００１３】
図１は、本発明の計器用指針の一実施の形態を示す分解斜視図、図２は、図１の計器用指針を示すｂ−ｂ線断面図、図３は、図１の計器用指針を車両のフロントパネルの文字板に装着する場合を説明するための断面図、図４は、図１の計器用指針の作用を説明するための図、図５〜図７は、図１の計器用指針の構成を変えた場合の他の実施形態を示す図である。
【００１４】
図１及び図２に示すように、計器用指針６０は、不透明又は金属調の第１指針部材７０と、着色又は無色の透明な第２指針部材８０とを備え、第１指針部材７０が第２指針部材８０に嵌合され、第２指針部材８０内部に入射した光により第１指針部材７０の外周部が発光する構成となっている。
【００１５】
第１指針部材７０は、ＡＢＳやポリカアロイ材等からなる不透明樹脂に、蒸着や塗装等が施された金属調とされている。なお、第１指針部材７０は、金属調とせずに、黒や青等の濃い色の不透明樹脂によって形成してもよい。
【００１６】
第１指針部材７０は、楕円形状の第１基部７１と、この第１基部７１から一方向に延びた指針部材本体７２と、第１基部７１から指針部材本体７２とは反対方向に延びた係止突起７３とを有している。なお、第１基部７１は、楕円形状に限らず、円形状や矩形状としてもよい。
【００１７】
第１基部７１の下面側には、十字形状の係止突起７４と、この係止突起７４から下方に延びる軸受け部７５が設けられている。なお、係止突起７４は、十字形状に限らず、一文字形状やＹ字形状等の他の形状であってもよい。軸受け部７５には、後述の内機１０１の回転軸１０３に圧入される圧入孔７６が設けられている。指針部材本体７２の下面側には、係止突起７７が設けられている。
【００１８】
第２指針部材８０は、アクリル等の無色透明樹脂により形成されている。なお、第２指針部材８０は、無色透明樹脂に限らず、赤や黄色等で着色した透明樹脂により形成されてもよい。
【００１９】
第２指針部材８０は、楕円形状の第２基部８１と、この第２基部８１から一方向に延びた指示部８２と、第２基部８１から指示部８２とは反対方向に延びた突起部８３とを有している。なお、第２基部８１は、楕円形状に限らず、円形状や矩形状としてもよい。
【００２０】
第２基部８１には、第１指針部材７０の第１基部７１を填め込むための基部填込部８４が設けられている。基部填込部８４の底部８５の中心部には、第１指針部材７０の十字形状の係止突起７４を挿通させて係止するための十字形状の係止孔８６が設けられている。なお、係止孔８６は、十字形状に限らず、上述した係止突起７４と同様に、一文字形状やＹ字形状等の他の形状であってもよい。
【００２１】
基部填込部８４の内側には、底部８５に向けて内側に傾斜した傾斜面８７ａ，８７ｂが設けられている。これらの傾斜面８７ａ，８７ｂは、第２基部８１内部に入射される光の反射面となる。傾斜面８７ａ，８７ｂによって反射された光は、第２指針部材８０の内部全体に導かれる。
【００２２】
第２基部８１から指示部８２とは反対方向に延びた突起部８３には、第１指針部材７０の係止突起７３を係止するための係止孔８３ａが設けられている。指示部８２には、第１指針部材７０の指針部材本体７２を填め込むための窪み８８が設けられいる。この窪み８８は、第２基部８１側の傾斜面８７ｂに連続して設けられている。窪み８８の底部８８ａには、指針部材本体７２の係止突起７７を係止させるための係止孔８８ｂが設けられている。
【００２３】
このような構成の計器用指針６０は、次のようにして組み立てられる。
すなわち、まず第１指針部材７０側の軸受け部７５を、第２指針部材８０側の十字形状の係止孔８６に差し込むと、第１指針部材７０側の十字形状の係止突起７４が同形状の係止孔８６に填り込んで係止される。このとき、第１指針部材７０側の係止突起７３が第２指針部材８０側の係止孔８３ａに填り込んで係止される。また、第１指針部材７０側の指針部材本体７２が第２指針部材８０側の窪み８８に填り込むとともに、指針部材本体７２の下面側の係止突起７７が窪み８８の係止孔８８ｂに填り込んで係止される。
【００２４】
このようにして組み立てられた計器用指針６０は、図３に示すように、車両のフロントパネルの文字板９０に装着される。ここで、文字板９０には、内機１０１を装着した基板１００に設けられているＬＥＤ等の光源１０２からの光を計器用指針６０の第２指針部材８０の第２基部８１側に向けて通過させる通過孔９１と、光源１０２の周囲を覆うケース９２とが設けられている。
【００２５】
ここで、計器用指針６０の第１指針部材７０側の軸受け部７５の圧入孔７６が内機１０１の回転軸１０３に圧入されることで、計器用指針６０が文字板９０上に装着される。そして、夜間照明時に光源１０２が点灯されると、光源１０２からの光は文字板９０の通過孔９１を通過し、計器用指針６０の第２指針部材８０の第２基部８１側に入射される。このとき、光源１０２の周囲は文字板９０のケース９２によって覆われているため、光源１０２周囲からの光の漏れを防げる。
【００２６】
第２基部８１内部に入射した光は、図４に示すように、第２基部８１の傾斜面８７ａ，８７ｂにより反射され、第２指針部材８０の内部全体に導かれることで、第１指針部材７０の周囲が発光して見える。
【００２７】
ここで、ＬＥＤ等の光源１０２からの光を赤、青、緑等のいずれかの着色光とすることで、計器用指針６０の表現色を変えることができる。また、ＬＥＤ等の光源１０２からの光を赤、青、緑等のいずれかの混合色とすることで、計器用指針６０の表現色をさらに増やすことも可能となる。
【００２８】
このように、本実施形態では、計器用指針６０を、不透明又は金属調の不透明部材より形成される第１指針部材７０が着色又は無色の透明部材より形成される第２指針部材８０の内側に嵌合され、立体感やコントラストが得られる構成としたので、新規な表現が可能となる。また、立体感やコントラストが得られるため、昼間でも視認性が良好となり、しかも第２指針部材８０の内部に入射した光により第１指針部材７０の周囲を発光させるようにしたので、夜間でも視認性が良好となる。その結果、視認性を確保しつつデザイン性及び質感を高めることができる。
【００２９】
なお、上述した計器用指針６０にあっては、図５に示すように、第２基部８１の光が入射される面を除いた第２指針部材８０の下面全体に蒸着等によって反射膜８０Ａを形成してもよい。このように、第２指針部材８０の下面全体に反射膜８０Ａを形成することで、第２指針部材８０の下面側からの光の漏れが反射膜８０Ａによって抑制され、第１指針部材７０の外周部がより明るく見える。
【００３０】
また、図５に示すように、第１指針部材７０を第２指針部材８０側に装着した場合、第１指針部材７０側の表面７０ａが第２指針部材８０側の表面８０ａより若干突出するようにしてもよい。この場合、第２指針部材８０の表面８０ａに対して第１指針部材７０の表面７０ａが突出して見えるので、計器用指針６０に立体感を持たせることができる。
【００３１】
また、上述した第２指針部材８０側の十字形状の係止孔８６にあっては、たとえば図６に示すように、セレーション形状としてもよい。この場合、第１指針部材７０側の十字形状の係止突起７４がセレーション形状の係止孔８６に圧入されるので、第１指針部材７０を第２指針部材８０側により強固に固定することができる。
【００３２】
また、上述した指示部８２にあっては、第１指針部材７０の指針部材本体７２を填め込むための窪み８８を設けずに、図７に示すように、指針部材本体７２の外周を保持するような凸部８９を設けてもよい。この場合には、凸部８９の表面にホット印刷等を施してもよい。このように、凸部８９を設け、その凸部８９の表面にホット印刷等を施すことで、計器用指針６０により立体感を持たせることができる。
【産業上の利用可能性】
【００３３】
車両の計器用指針に限らず、測定器、音響機器、時計等のようなアナログ式の指針を有するものにも適用可能である。
【図面の簡単な説明】
【００３４】
【図１】本発明の計器用指針の一実施の形態を示す分解斜視図である。
【図２】図１の計器用指針を示すｂ−ｂ線断面図である。
【図３】図１の計器用指針を車両のフロントパネルの文字板に装着する場合を説明するための断面図である。
【図４】図１の計器用指針の作用を説明するための図である。
【図５】図１の計器用指針の構成を変えた場合の他の実施形態を示す図である。
【図６】図１の計器用指針の構成を変えた場合の他の実施形態を示す図である。
【図７】図１の計器用指針の構成を変えた場合の他の実施形態を示す図である。
【図８】従来のアナログ式計器の指針を示す平面図である。
【図９】図８の指針を示す断面図である。
【図１０】従来の他のアナログ式計器の指針を示す斜視図である。
【図１１】図１０の指針を示すａ−ａ線断面図である。
【符号の説明】
【００３５】
６０ 計器用指針
７０ 第１指針部材
７１ 第１基部
７２ 指針部材本体
７４ 係止突起
７５ 軸受け部
８０ 第２指針部材
８０Ａ 反射膜
７０ａ，８０ａ 表面
８１ 第２基部
８２ 指示部
８４ 基部填込部
８５ 底部
８６ 係止孔
８７ａ，８７ｂ 傾斜面
８８ 窪み
８９ 凸部
１０１ 内機
１０２ 光源
１０３ 回転軸
【図１】
2005300235.tif 000003
【図２】
2005300235.tif 000004
【図３】
2005300235.tif 000005
【図４】
2005300235.tif 000006
【図５】
2005300235.tif 000007
【図６】
2005300235.tif 000008
【図７】
2005300235.tif 000009
【図８】
2005300235.tif 000010
【図９】
2005300235.tif 000011
【図１０】
2005300235.tif 000012
【図１１】
2005300235.tif 000013